(57)【要約】【課題】眼球内の硝子体に注射を行う注射針組立体において、注射針を保持する柱状部に対するスライド筒体の相対スライドに対して適正な摩擦抵抗を与え、しかも組立工程もスムーズなものとする。【解決手段】眼球内の硝子体に注射するための注射針組立体では、硝子体に対する注射針１２の突刺量（距離）を慎重に制御する必要があるので、柱状部１１とスライド筒体２０との相対スライドに対して適当な摩擦抵抗を与える必要がある。この摩擦抵抗を、柱状部１１の側壁に設けたエラストマー部材１３によって実現する。摩擦抵抗の付与に注射針１２が関与していないので、当該摩擦抵抗で針が曲がったり折れたりする心配はない。また、眼球当接部２１の開口２２’を、注射針１２と接触しない大きな拡がりをもって形成することができるが故に、注射針の組立行程が簡単かつスムーズになる。【選択図】図３
2016049341.tif 000002
【特許請求の範囲】
【請求項１】
薬液を収容するシリンジの端部に取り付けて使用する注射針組立体であって、
（ア）
注射針（１２）を保持する柱状部（１１）を備え、シリンジの上記端部に固定される基台部（１０）と、
注射針を通す開口（２２’）を有して眼球に当接させられる眼球当接部（２１）を先端に有し、注射針を包囲して柱状部（１１）に相対スライド可能に取り付けられるスライド筒体（２０）と、を備え、
（イ）
スライド筒体（２０）は、「柱状部に対して最も突出して、注射針の先端を眼球当接部の上記開口よりも退避させた突出位置」と「柱状部に対して最も後退して、注射針の先端を眼球当接部の上記開口から突出させた退避位置」との間でスライド可能であって、
（ウ）
柱状部（１１）の側壁またはスライド筒体（２０）の内面のいずれか一方には、他方に当接することでスライド移動に抗する所定の摩擦抵抗を与える摩擦当接部（１３）が設けられていて、
眼球当接部の上記開口（２２’）は、通された注射針（１２）に当接しない拡がりを有することを特徴とする、注射針組立体。
【請求項２】
上記摩擦当接部（１３）は柱状部（１１）に外嵌された弾性体で構成されている、請求項１記載の注射針組立体。
【発明の詳細な説明】
【技術分野】
【０００１】
本発明は、眼球内の硝子体に薬液を注入するのに使用する注射針組立体に関する。
【背景技術】
【０００２】
眼球内の硝子体に薬液を注入する医療行為は、従来から行われている。例えば、加齢黄斑変性症の治療において、抗ＶＥＧＦ抗体を硝子体に注射する場合等である。このような眼球に対する注射に使用する注射器として、例えば、特許文献１、２に開示されたものが知られている。
【先行技術文献】
【特許文献】
【０００３】
【特許文献１】米国特許出願公開第２０１２／０２６５１４９号明細書
【特許文献２】米国特許出願公開第２０１２／００７８２２４号明細書
【発明の概要】
【発明が解決しようとする課題】
【０００４】
まず、図１および図２を参照して、従来の注射器が備える注射針組立体１の基本構造を説明する。図１（ａ）の斜視図に示したように、注射針組立体１は、「薬液を収容するシリンジの端部に取り付けられる基台部１０」と「基台部１０に対して相対スライド可能なスライド筒体２０」とを備える。
図１（ｂ）の分解斜視図に示したように、基台部１０は、一体的に形成された柱状部１１を備えていて、この柱状部１１に注射針１２が不動に固定されている。
【０００５】
一方、スライド筒体２０は、基台部１０の柱状部１１にスライド可能に外嵌される外筒２３と、この外筒２３の先端に固定される眼球当接部２１とで構成される。眼球当接部２１は、注射の際に眼球に当接させる部材であり、眼球を保護するために弾性エラストマーで構成される。眼球当接部２１は、注射針１２を通す開口２２をその中央に備えている。
【０００６】
スライド筒体２０は、基台部１０の柱状部１１に沿って相対スライドが可能であって、図２の断面図に示したように、基台部１０に対して、突出位置（図２ａ）と退避位置（図２ｂ）との間でスライドする。
【０００７】
「突出位置」では、スライド筒体２０は、柱状部１１に対して最も突出して、注射針の先端１２ａを眼球当接部の開口２２よりも退避させている。
「退避位置」では、スライド筒体２０は、柱状部１１に対して最も後退して、注射針の先端１２ａを眼球当接部の開口２２から突出させている。
【０００８】
実際の使用では、図５（ａ）に模式的に示したように、スライド筒体２０が突出位置にある状態において（すなわち、注射針１２を退避させた状態において）、まずスライド筒体２０の先端面（眼球当接部２１）を眼球に当接させる。その状態から、図５（ｂ）に示したように、基台部１０をスライド筒体２０に対して相対スライドさせて眼球に向けて前進させ、これにより、注射針１２を眼球内の硝子体に突き刺し、そして注射行為を行う。
このとき、眼球に対する注射針１２の突刺量（距離）を慎重に制御する必要があるので、柱状部１１とスライド筒体２０との相対スライドに対して適当な摩擦抵抗を与えることが行われている。これは、摩擦抵抗が小さすぎると少し力を入れただけで過剰に刺し込んでしまう恐れがあるため、これを防止する意味である。
【０００９】
このような摩擦抵抗は、従来、眼球当接部２１の開口２２と、そこに通される注射針１２との間に生じる摩擦によって与えられてきた。一般に眼球当接部２１は、眼球に当接させて使用するため、弾性のあるエラストマー部材で作られている。この弾性を利用して摩擦抵抗が与えられてきた。
つまり、エラストマーからなる眼球当接部２１に形成する開口２２のサイズを、注射針１２の外径寸法よりも小さく設定して、これにより摩擦抵抗を与えている。
【００１０】
しかしこのような構造では、組立工程に支障が生じる。すなわち、注射針１２を保持する柱状部１１に、スライド筒体２０を組み付ける際に、注射針１２を眼球当接部２１の開口２２に通すことが必要となるが、この工程で、注射針１２を開口１２にスムーズに通すことができない。特に、眼球注射に使用される注射針は径の小さいものが一般的であるため、組立工程において、針が折れ曲がってしまうこともあり得る。
【００１１】
本発明は上記従来技術の問題点に鑑みて創案されたものであって、その目的は、注射針を保持する柱状部に対するスライド筒体の相対スライドに対して適正な摩擦抵抗を与えることができ、しかも組立工程もスムーズである注射針組立体を提供することである。
【課題を解決するための手段】
【００１２】
本発明の注射針組立体は、薬液を収容するシリンジの端部に取り付けて使用されるものである。
（ア）
本発明の注射針組立体は、「注射針を保持する柱状部を備え、シリンジの上記端部に固定される基台部」と「注射針を通す開口を有して眼球に当接させられる眼球当接部を先端に有し、注射針を包囲して柱状部に相対スライド可能に取り付けられるスライド筒体」とを備える。
（イ）
スライド筒体は、「柱状部に対して最も突出して、注射針の先端を眼球当接部の上記開口よりも退避させた突出位置」と「柱状部に対して最も後退して、注射針の先端を眼球当接部の上記開口から突出させた退避位置」との間でスライド可能である。
（ウ）
「柱状部の側壁」または「スライド筒体の内面」のいずれか一方には、他方に当接することでスライド移動に抗する所定の摩擦抵抗を与える摩擦当接部が設けられていて、
眼球当接部の上記開口は、通された注射針に当接しない拡がりを有している。
【発明の効果】
【００１３】
上記構成を有する本発明の注射針組立体においては、基台部の柱状部とスライド筒体とが相対スライドする際の摩擦抵抗を、「柱状部」と「スライド筒体」との間に配置した摩擦当接部によって付与している。すわなち、摩擦抵抗の付与に「注射針」は関与していない。したがって、当該摩擦抵抗によって、「注射針」が曲がったり、折れたりすることはない。
しかも、「注射針」と「眼球当接部の開口」の間に摩擦抵抗を生じさせる必要がなくなるので、「眼球当接部の開口」を「注射針」と接触しない大きな拡がりをもって形成することができる。それ故、注射針の組立行程が簡単かつスムーズになる。
【図面の簡単な説明】
【００１４】
【図１】従来の注射針組立体を説明する斜視図。
【図２】図１の注射針組立体の動作を説明する断面図。
【図３】本発明の一実施形態に係る注射針組立体を説明する分解斜視図。
【図４】図３の注射針組立体の動作を説明する断面図。
【図５】眼球内の硝子体に対する注射行為を説明する模式図。
【発明を実施するための形態】
【００１５】
本発明の実施形態を、添付の図面を参照して以下に説明する。図３は、本発明の一実施形態に係る注射針組立体を説明する分解斜視図である。本実施形態の注射針組立体は、図１〜図２で説明した従来例に対して、本質的には次の２点において異なっている。
（１）摩擦抵抗をリング状エラストマー部材１３で実現している。
（２）注射針１２を通す眼球当接部の開口２２’の開口面積を大きくして、ここで摩擦抵抗が生じないようにしている。
【００１６】
他の基本的構成は図１〜図２の従来例と同じであるので、以下では、上記（１）、（２）の相違点を中心に説明を進める。
【００１７】
《摩擦抵抗について》
本発明においては、基台部１０の柱状部１１は、その先端近傍にリング状エラストマー部材１３（摩擦当接部）を備えている。このエラストマー部材１３は、スライド筒体２０の内面に当接して、これによりスライド移動に対する所定の摩擦抵抗を与える目的で配置されている。
この摩擦抵抗は、眼球（硝子体）に対する注射針１２の突刺量（距離）を慎重に制御することを可能とするために与えられる。摩擦抵抗が小さすぎると少し力を入れただけで過剰に刺し込んでしまう恐れがあるため、これを防止する意味である。
【００１８】
図１、２に示した従来例では、このような摩擦抵抗は、眼球当接部２１の開口２２と、そこに通される注射針１２との間に生じる摩擦によって与えられてきた。しかしそのような構成では、組立の際に、注射針１２を眼球当接部２１の開口２２に通すことが必要となり、当該工程で、注射針１２を開口１２にスムーズに通すことができない。特に、眼球注射に使用される注射針は径の小さいものが一般的であるため、針が折れ曲がってしまうこともあり得る。
【００１９】
《眼球当接部の開口２２’の開口面積について》
本実施形態では、摩擦抵抗を柱状部１１に設けたエラストマー部材１３で実現しているが故に、眼球当接部２１に設ける開口２２’は、そこに通される注射針１２に接触しない拡がりをもって形成することができる。
その結果、注射針１２が開口２２’との摩擦に起因して折れ曲がる等の不都合は生じ得ない。しかも、注射針１２を保持する柱状部１１に対するスライド筒体２０の組付け（特に、眼球当接部２１の開口２２’に注射針１２を通すこと）が簡単かつスムーズとなる。
【００２０】
図４（ａ）は、スライド筒体２０が「突出位置」にある状態を示している。この状態では、スライド筒体２０は柱状部１１に対して最も突出していて、注射針の先端１２ａは、眼球当接部の開口２２’よりも退避している。
図４（ｃ）は、スライド筒体２０が「退避位置」にある状態を示している。この状態では、スライド筒体２０は柱状部１１に対して最も後退していて、注射針の先端１２ａは、眼球当接部の開口２２’から突出している。
【００２１】
スライド筒体２０は、「突出位置」と「退避位置」との間で、基台部１０の柱状部１１に対して相対スライドが可能であり、図４（ｂ）は中間位置にある状態を示している。正確には図４（ｂ）中に拡大して示しているように、エラストマー部材１３が変形してスライド筒体２０の内面に当接し、これによってスライド移動に対する所定の抵抗を与えている。エラストマー部材の変形特性やサイズ等は、求められる摩擦抵抗に応じて適宜設定することができる。
【００２２】
《変形例》
図示の実施形態では、「摩擦抵抗を与える摩擦当接部」として、エラストマー部材１３を採用しており、当該エラストマー部材１３は、柱状部１１の全周に渡って２条に延在するリング状である。しかし、本発明においては、柱状部１１に設ける「摩擦当接部」の具体的な形状および材質は、スライド筒体２０の内面に当接して所定の摩擦抵抗を与えるものであれば足り、特定のものに限定されない。
また、図示の例とは逆に、摩擦当接部をスライド筒体２０の内面側に設けて、これを柱状部１１の表面に当接させることで、所定の摩擦抵抗を与えるように構成してもよい。
【００２３】
図示の実施形態では、眼球当接部２１に設ける開口２２’は円形であるが、組立時において注射針１２が接触しない限り、その形状および面積は自由に設定することができる。
【符号の説明】
【００２４】
１  従来の注射針組立体
１０  基台部
１１  柱状部
１２  注射針
１３  リング状エラストマー部材（摩擦当接部）
１２ａ  注射針の先端
２０  スライド筒体
２１  眼球当接部
２２、２２’  眼球当接部の開口
２３  外筒
【図１】
2016049341.tif 000003
【図２】
2016049341.tif 000004
【図３】
2016049341.tif 000005
【図４】
2016049341.tif 000006
【図５】
2016049341.tif 000007